【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
作動機構を含む筐体と、
該筐体から遠位に延びる細長い管状部材と、
該細長い管状部材の遠位端に位置するステープル固定アセンブリであって、第１の顎部および第２の顎部を含み、該第１の顎部は、複数のファスナおよび駆動アセンブリを含み、該第２の顎部は、アンビルを含む、ステープル固定アセンブリと、
顎部駆動アセンブリであって、該作動機構の作動によって、該第１および第２の顎部のうちの一方を該第１および第２の顎部のもう一方に向けて移動させるように、該作動機構に動作可能に連結され、該第１の顎部の組織接触表面は、該顎部間の距離が変動するとき、該第２の顎部の組織接触表面と実質的に平行のままである、顎部駆動アセンブリと
を備える、手術装置。
【請求項２】
前記顎部駆動アセンブリは、前記第２の顎部に動作可能に連結され、該顎部駆動アセンブリは、カムを含み、該カムの回転によって、該第２の顎部を前記第１の顎部に向けて付勢するように、該カムの少なくとも一部は、該第２の顎部の外側表面と接触する、請求項１に記載の手術装置。
【請求項３】
前記顎部駆動アセンブリは、前記カムと前記作動機構とを動作可能に連結するバネをさらに含む、請求項２に記載の手術装置。
【請求項４】
第１の方向への前記バネの移動は、第１の方向に前記カムを回転させ、前記第２の顎部を前記第１の顎部に向けて付勢する、請求項３に記載の手術装置。
【請求項５】
リンキング部材は、前記カムと前記バネとを動作可能に接続する、請求項３または４に記載の手術装置。
【請求項６】
作動機構を含む筐体と、
該筐体から遠位に延びる細長い管状部材と、
該細長い管状部材の遠位端に位置するステープル固定アセンブリであって、該ステープル固定アセンブリは、第１の顎部および第２の顎部を含み、該第１の顎部は、複数のファスナおよび駆動アセンブリを含み、該第２の顎部は、アンビルを含み、該第１の顎部は、その中に配置された少なくとも１つの可動部材を含み、該少なくとも１つの可動部材は、手術用ファスナの一部と相互作用するために選択的に作動される、ステープル固定アセンブリと、
顎部駆動アセンブリであって、該顎部駆動アセンブリは、該作動機構の作動によって、該第１および第２の顎部のうちの一方を該第１および第２の顎部のもう一方に向けて移動させるように、該作動機構に動作可能に連結される、顎部駆動アセンブリと
を備える、手術装置。
【請求項７】
少なくとも１つの滑動アセンブリをさらに含み、該滑動アセンブリは、第１および第２の滑動部を含む、請求項６に記載の手術装置。
【請求項８】
前記第１の滑動部は、前記第２の滑動部を摺動可能に受容するための該第１の滑動部を通る長手方向通路を含み、前記複数のファスナを通る該第１の滑動部の長手方向の平行移動は、前記手術用ファスナを連続的に射出する、請求項７に記載の手術装置。
【請求項９】
前記複数のファスナを通る前記第２の滑動部の長手方向の平行移動は、前記少なくとも１つの可動部材を前記第１の顎部の組織接触表面に向けて移動させ、該少なくとも１つの可動部材は、該第１の顎部の長手方向軸を横断する方向に移動し、該少なくとも１つの可動部材の該横断する方向の移動によって、前記手術用ファスナの一部と接触する、請求項７または８に記載の手術装置。
【請求項１０】
前記第１の滑動部の長手方向の平行移動は、遅延を規定する前記第２の滑動部の長手方向の平行移動に先行する、請求項８または９に記載の手術装置。
【請求項１１】
各ファスナは、前記アンビルと相互作用し、完全なファスナを形成し、該完全なファスナは、前記第１および第２の顎部の組織接触表面の間の間隔に比例するサイズを有し、前記可動部材はそれぞれ、前記間隔が所定の量未満であるとき、対応するファスナのバックスパンを変形させる、請求項６、８、または９に記載の手術装置。
【請求項１２】
作動機構を含む筐体と、
該筐体から遠位に延びる細長い管状部材と、
該細長い管状部材の遠位端に位置するステープル固定アセンブリであって、該ステープル固定アセンブリは、第１および第２の顎部を含み、該第１の顎部は、該作動機構に動作可能に関連付けられるファスナ駆動アセンブリを含み、該ファスナ駆動アセンブリは、第１および第２の滑動部を有し、該第１の滑動部は、該第２の滑動部を摺動可能に受容するために、そこを通る長手方向通路を有し、該第２の顎部は、アンビルを含む、ステープル固定アセンブリと、
該第１の顎部内に配置される複数のファスナおよび対応する数の射出アセンブリであって、各射出アセンブリは、ファスナ射出器および可動部材を含み、該第１の滑動部は、該ファスナ駆動アセンブリの作動に応答して、遠位に平行移動し、該第２の滑動部は、静止したままである、複数のファスナおよび対応する数の射出アセンブリと、
該作動機構に動作可能に連結される顎部駆動アセンブリと
を備える、手術装置。
【請求項１３】
間隔は、前記第１および第２の顎部の組織接触表面間で規定され、該間隔は、該第１および第２の顎部間に捕捉される組織に比例し、前記第１の滑動部の遠位移動は、該第１の顎部の長手方向軸を横断する方向に前記射出器を移動させ、それによって、前記ファスナを前記アンビルに向けて駆動し、各ファスナは、該アンビルと相互作用し、完全なファスナを形成し、該完全なファスナは、該間隔に比例するサイズを有する、請求項１２に記載の手術装置。
【請求項１４】
前記第２の滑動部は、前記複数のファスナを通って遠位に平行移動し、前記第２の滑動部は、前記可動部材に係合し、前記第１の顎部の長手方向軸を横断する方向に前記可動部材を駆動させ、該可動部材はそれぞれ、対応するファスナのバックスパンに接触する、請求項１２または１３に記載の手術装置。
【請求項１５】
各ファスナは、前記アンビルと相互作用し、完全なファスナを形成し、該完全なファスナは、前記第１および第２の顎部の組織接触表面間の間隔に比例するサイズを有し、前記可動部材はそれぞれ、該間隔が所定の量未満であるとき、対応するファスナのバックスパンを変形させる、請求項１２または１４に記載の手術装置。
【手続補正２】
【補正対象書類名】明細書
【補正対象項目名】０００９
【補正方法】変更
【補正の内容】
【０００９】
顎部作動機構は、ステープル固定アセンブリの近位部分に取設される筐体内に配置される。顎部作動機構は、筐体に回転可能に搭載されるカムと、ケーブルと、互いに協働可能に連結されるバネと、を含む。手術器具内の近接機構は、顎部作動機構に動作可能に連結され、バネの近位運動を生じさせる。バネの近位移動は、ケーブルを介して、カムに連結される。一実施形態では、カムは、カムの外側表面の少なくとも一部と第２の顎部の外側表面との間の接触を維持するための偏心外側表面を有する。カムは、反転防止アセンブリ（すなわち、自動ロック）を含み、カムの反時計回りの回転を許容する一方、カムの時計回りの回転を抑制してもよい。そのように構成されることによって、偏心カムの反時計回りの回転は、バネの近位移動の際、第２の顎部を第１の顎部へ継続的に付勢する。カムおよびケーブルの寸法、ならびにバネに対し選択される寸法および材料は、顎部作動機構の組織捕捉特徴に寄与する。顎部は、組織を捕捉し、定位置に保持する一方、組織への外傷を最小限にすることが望ましい。有利には、カム、ケーブル、およびバネの組み合わせは、ステープリング動作の際、異なる厚さの組織に適応するように、組織間隔の自動調節を可能にする。
例えば、本発明は以下の項目を提供する。
（項目１）
作動機構を含む筐体と、
該筐体から遠位に延びる細長い管状部材と、
該細長い管状部材の遠位端に位置するステープル固定アセンブリであって、第１の顎部および第２の顎部を含み、該第１の顎部は、複数のファスナおよび駆動アセンブリを含み、該第２の顎部は、アンビルを含む、ステープル固定アセンブリと、
顎部駆動アセンブリであって、該作動機構の作動によって、該第１および第２の顎部のうちの一方を該第１および第２の顎部のもう一方に向けて移動させるように、該作動機構に動作可能に連結され、該第１の顎部の組織接触表面は、該顎部間の距離が変動するとき、該第２の顎部の組織接触表面と実質的に平行のままである、顎部駆動アセンブリと
を備える、手術装置。
（項目２）
上記顎部駆動アセンブリは、上記第２の顎部に動作可能に連結され、該顎部駆動アセンブリは、カムを含み、該カムの回転によって、該第２の顎部を上記第１の顎部に向けて付勢するように、該カムの少なくとも一部は、該第２の顎部の外側表面と接触する、項目１に記載の手術装置。
（項目３）
上記顎部駆動アセンブリは、上記カムと上記作動機構とを動作可能に連結するバネをさらに含む、項目２に記載の手術装置。
（項目４）
第１の方向への上記バネの移動は、第１の方向に上記カムを回転させ、上記第２の顎部を上記第１の顎部に向けて付勢する、項目３に記載の手術装置。
（項目５）
リンキング部材は、上記カムと上記バネとを動作可能に接続する、項目３に記載の手術装置。
（項目６）
作動機構を含む筐体と、
該筐体から遠位に延びる細長い管状部材と、
該細長い管状部材の遠位端に位置するステープル固定アセンブリであって、該ステープル固定アセンブリは、第１の顎部および第２の顎部を含み、該第１の顎部は、複数のファスナおよび駆動アセンブリを含み、該第２の顎部は、アンビルを含み、該第１の顎部は、その中に配置された少なくとも１つの可動部材を含み、該少なくとも１つの可動部材は、手術用ファスナの一部と相互作用するために選択的に作動される、ステープル固定アセンブリと、
顎部駆動アセンブリであって、該顎部駆動アセンブリは、該作動機構の作動によって、該第１および第２の顎部のうちの一方を該第１および第２の顎部のもう一方に向けて移動させるように、該作動機構に動作可能に連結される、顎部駆動アセンブリと
を備える、手術装置。
（項目７）
少なくとも１つの滑動アセンブリをさらに含み、該滑動アセンブリは、第１および第２の滑動部を含む、項目６に記載の手術装置。
（項目８）
上記第１の滑動部は、上記第２の滑動部を摺動可能に受容するために、そこを通る長手方向通路を含む、項目７に記載の手術装置。
（項目９）
上記複数のファスナを通る上記第１の滑動部の長手方向の平行移動によって、上記手術用ファスナを連続的に射出する、項目８に記載の手術装置。
（項目１０）
上記複数のファスナを通る上記第２の滑動部の長手方向の平行移動は、上記少なくとも１つの可動部材を上記第１の顎部の組織接触表面に向けて移動させ、該少なくとも１つの可動部材は、該第１の顎部の長手方向軸を横断する方向に移動する、項目９に記載の手術装置。
（項目１１）
上記少なくとも１つの可動部材の上記横断方向の移動によって、上記手術用ファスナの一部と接触する、項目１０に記載の手術装置。
（項目１２）
上記第１の滑動部の長手方向の平行移動は、遅延を規定する上記第２の滑動部の長手方向の平行移動に先行する、項目１０に記載の手術装置。
（項目１３）
上記第２の滑動部の一部は、上記第１および該第２の滑動部の長手方向の平行移動の間に、該第１の滑動部の上記通路との接触を維持する、項目１０に記載の手術装置。
（項目１４）
各ファスナは、上記アンビルと相互作用し、完全なファスナを形成し、該完全なファスナは、上記第１および第２の顎部の組織接触表面の間の間隔に比例するサイズを有し、上記可動部材はそれぞれ、上記間隔が所定の量未満であるとき、対応するファスナのバックスパンを変形させる、項目６に記載の手術装置。
（項目１５）
作動機構を含む筐体と、
該筐体から遠位に延びる細長い管状部材と、
該細長い管状部材の遠位端に位置するステープル固定アセンブリであって、該ステープル固定アセンブリは、第１および第２の顎部を含み、該第１の顎部は、該作動機構に動作可能に関連付けられるファスナ駆動アセンブリを含み、該ファスナ駆動アセンブリは、第１および第２の滑動部を有し、該第１の滑動部は、該第２の滑動部を摺動可能に受容するために、そこを通る長手方向通路を有し、該第２の顎部は、アンビルを含む、ステープル固定アセンブリと、
該第１の顎部内に配置される複数のファスナおよび対応する数の射出アセンブリであって、各射出アセンブリは、ファスナ射出器および可動部材を含み、該第１の滑動部は、該ファスナ駆動アセンブリの作動に応答して、遠位に平行移動し、該第２の滑動部は、静止したままである、複数のファスナおよび対応する数の射出アセンブリと、
該作動機構に動作可能に連結される顎部駆動アセンブリと
を備える、手術装置。
（項目１６）
間隔は、上記第１および第２の顎部の組織接触表面間で規定され、該間隔は、該第１および第２の顎部間に捕捉される組織に比例する、項目１５に記載の手術装置。
（項目１７）
上記第１の滑動部の遠位移動は、上記第１の顎部の長手方向軸を横断する方向に上記射出器を移動させ、それによって、上記ファスナを上記アンビルに向けて駆動する、項目１６に記載の手術装置。
（項目１８）
各ファスナは、上記アンビルと相互作用し、完全なファスナを形成し、該完全なファスナは、上記間隔に比例するサイズを有する、項目１７に記載の手術装置。
（項目１９）
上記第２の滑動部は、上記複数のファスナを通って遠位に平行移動し、上記第２の滑動部は、上記可動部材に係合し、上記第１の顎部の長手方向軸に対して直角の方向に上記可動部材を駆動させる、項目１７に記載の手術装置。
（項目２０）
上記可動部材はそれぞれ、その対応するファスナのバックスパンに接触する、項目１９に記載の手術装置。
（項目２１）
各ファスナは、上記アンビルと相互作用し、完全なファスナを形成し、該完全なファスナは、上記第１および第２の顎部の組織接触表面間の間隔に比例するサイズを有し、上記可動部材はそれぞれ、該間隔が所定の量未満であるとき、対応するファスナのバックスパンを変形させる、項目２０に記載の手術装置。